(57)【特許請求の範囲】
【請求項１】
海面に向かって浮上可能な本体部と、この本体部を海に没するための沈降部と、前記本体部および沈降部の海への投入時から所定時間経過後に少なくとも前記本体部を浮上可能状態とさせる時限手段とを有することを特徴とする擬似餌。
【請求項２】
請求項１に記載の擬似餌を海に投入することを特徴とする擬似餌を用いた漁法。
【発明の詳細な説明】
【０００１】
【発明の属する技術分野】
本発明は、擬似餌およびそれを用いた漁法に係り、特に、鰹の一本釣り漁に好適な擬似餌およびそれを用いた漁法に関する。
【０００２】
なお、本明細書における海は海水、淡水を共に含むものである。
【０００３】
【従来の技術】
近年、漁業における餌である冷凍生餌、活餌等の生餌が不足し、その入手が非常に困難となっている。そして、ここ数年の鰯の不漁等による餌となる小魚の捕獲量の減少は、前述した問題に拍車をかけ、養殖漁業においては、魚肉タンパクに代わる植物タンパク等の代替品が検討されている程である。
【０００４】
このような現状において、どうしても活餌を用いざるを得ない釣漁業においては、新鮮な活餌を大量に確保しなければその存続自体が危ぶまれる程深刻な問題となっている。
【０００５】
前記釣漁業の中でも、特に、鰹の一本釣漁においてこのような問題が顕在化している。鰹の一本釣漁用の餌となる小魚は、日本近海ばかりでなく、例えば、南太平洋ソロモン諸島付近の漁場において旋網により捕獲することができるが、このような鰹の一本釣漁用の餌となる小魚の大量捕獲は、現地の人々の反発を招き、国際問題に発展しかねないのが実状である。そこで、このような問題点に対処するために、従来から各種の擬似餌が提案されている。
【０００６】
これらの従来例としては、特開昭５１−１１８６９５号公報、特開昭５２−６９７８８号公報、特開昭５２−７５５８６号公報等がある。
【０００７】
前記特開昭５１−１１８６９５号公報に記載されている擬似餌は、水と反応する発泡剤入り容器を内添させて自力推進力を得るようにしたものであり、前記特開昭５２−６９７８８号公報に記載されている擬似餌は、動力装置を装備して自力推進力を得るようにたものであり、前記特開昭５２−７５５８６号公報に記載されている擬似餌は、吸水により収縮、膨潤の程度の異なる２種の合成樹脂を貼着し、２種の合成樹脂の変形により自力推進力を得るようにしたものである。
【０００８】
【発明が解決しようとする課題】
しかしながら、前述した公報に記載されたいずれの擬似餌においても、漁場において、漁船の船体の適宜な位置に配設された所望のポンプ、例えば、魚移送ポンプの吐出側のホースの先端を海中の所望の水深、例えば、水深５〜１０ｍ程度まで沈降させた後、前記ポンプを稼働させて海水とともに擬似餌をホースの先端から海中の所望の位置に放出さるようにされており、擬似餌を海中の所定位置から海面に向かって浮上させるためには、漁船に専用の投入装置を設ける必要があるとともに、船体から離れた位置への擬似餌の投入が困難であるという問題点があった。
【０００９】
また、漁船に専用の投入装置を設けると、漁船が水深の浅い場所を航行する際に投入装置がじゃまになるという問題点があった。
【００１０】
さらにまた、前述した公報に記載されたいずれの擬似餌においても、魚を集魚させる動作を得るために、構造が複雑で、かつ、経済的負担が大きいという問題点があった。
【００１１】
本発明はこれらの点に鑑みてなされたものであり、海への投入が容易で、かつ、海中の所定位置から海面に向かって浮上させることのできる擬似餌およびそれを用いた漁法を提供することを目的とし、更に、簡単な構成で経済的負担の少ない擬似餌およびそれを用いた漁法を提供することをも目的とする。
【００１２】
【課題を解決するための手段】
前述した目的を達成するため特許請求の範囲の請求項１に記載の本発明の擬似餌の特徴は、海面に向かって浮上可能な本体部と、この本体部を海に没するための沈降部と、前記本体部および沈降部の海への投入時から所定時間経過後に少なくとも前記本体部を浮上可能状態とさせる時限手段とを有する点にある。
【００１３】
また、特許請求の範囲の請求項２に記載の本発明の擬似餌を用いた漁法の特徴は、請求項１に記載の擬似餌を海に向かって投入する点にある。
【００１４】
そして、本発明の擬似餌を用いた漁法にしたがえば、簡単な動作で本発明の擬似餌を海面の所定位置に投入することができる。そして、時限手段は、海への投入時から所定時間経過すると海に没した擬似餌の少なくとも本体部を海中の所定位置から海面に向かって浮上させることができる。
【００１５】
【発明の実施の形態】
以下、本発明を図面に示す実施の形態により説明する。
【００１６】
まず、本発明に係る擬似餌の実施の形態について説明する。
【００１７】
図１は本発明に係る擬似餌の第１の実施の形態を示す斜視図である。
【００１８】
図１に示すように、本実施の形態の擬似餌１ａは、海面に向かって浮上可能な略円柱形状に形成された本体部２を有している。この本体部２の軸方向の図１において右方に示す右端には、本体部２の長手方向に対して傾斜した傾斜面３が形成されている。この傾斜面３は、本体部２が海中から海面に向かって浮上する際に、本体部２に略直進的な運動を付与させるためのものである。そして、本体部２の外周面には、本体部２を海に没するための沈降部４としてのスティクシュガー状に形成された砂袋４ａがその長手方向を本体部の軸方向と平行にして配置されている。さらに、本体部２および砂袋４ａの長手方向の略中央部位には、時限手段５としての水溶性フィルムによって形成されたテープバンド５ａが掛け回されている。すなわち、テープバンド５ａによって本体部２と砂袋４ａとが一体化されている。
【００１９】
前記本体部２としては、海水より比重の小さい素材によって所望の浮力を得るように形成されたもの、本体部２の内部に空所（図示せず）を形成して所望の浮力を得るように形成されたもの、前記空所内に適宜な浮力増強手段として空気あるいは油等を封入することにより浮力を大きくし海面への浮上速度を増加させたもの、本体部２に所望の合成樹脂、ゴム様弾性体（天然ゴム、合成ゴム、エラストマ等）等からなる各種の中空体（図示せず）およびこの中空体内に前記浮力増強手段を封入してなる浮力体（図示せず）を表面に固着したり内部に埋設したものなどを例示することができる。
【００２０】
そして、本体部２の形状としては、擬似餌１ａが海面に浮上するときの遊泳動作、例えば、ジグザグ、フラフラ、クルクル、一気、斜めスライド等の設計コンセプトに適合させてイカ形状、円筒に鰭を付加した形状、円盤形状、湾曲した平板形状、平板を捻った形状、螺旋形状などの各種の形状から選択すればよい。
【００２１】
さらに、本体部２の形状および本体部２内に形成する空所の形状、大きさ、数、位置等も、擬似餌１ａが海面に浮上するときの遊泳動作に適合させて設定すればよい。
【００２２】
また、前記本体部２の表面の少なくとも一部に図示しない趨魚手段としてのアルミ箔等からなる適宜な光反射部材を固着してもよい。この趨魚手段としては、適宜な光蛍光部材等を用いてもよく、魚の視覚を刺激して集魚させるものであればよい。なお、擬似餌１ａに趨魚手段を設けることにより、魚の視覚を刺激して集魚させることができるので、この種の趨魚手段に反応する魚、例えば、鰹等の集魚能力を確実に向上させることができる。
【００２３】
なお、前記本体部２の素材としては各種のものを選択することができるが、海の環境汚染を考慮し、分解性合成樹脂あるいは食材等の海を汚染しない素材を用いることが望ましい。
【００２４】
前記沈降部４としての砂袋４ａは、水溶性フィルムにより形成した袋６の内部に重りとしての所定量の砂（図示せず）を詰めたものである。この重りとしては、砂の他に海を汚染しない素材、例えば、貝殻末、石等から選択すればよい。また、袋６の内部に詰める重りの量（重さ）は、必要とする擬似餌１の沈降速度に応じて決定すればよい。なお、水溶性フィルムとしては、後述する時限手段５としてのテープバンド５ａの素材と同一のものを用いるとよい。
【００２５】
前記時限手段５としてのテープバンド５ａは、例えばＮＯＶＯＮ（ワーナーランバード社（米国）製商品名）等の水溶性フィルムによって形成されており、水溶性フィルムの厚さによって溶解するまでの時間を調節することができるようになっている。すなわち、時限手段５としてのテープバンド５ａは、擬似餌１ａを海に没した際に、所定時間経過した後に少なくとも本体部２を浮上可能状態とすることができるようになっている。
【００２６】
つぎに、前述した構成からなる本実施の形態の作用について説明する。
【００２７】
本実施例の擬似餌１ａは、海面に向かって浮上可能な本体部２とこの本体部２を海中に没するための沈降部４としての砂袋４ａとを時限手段５としての水溶性フィルムにより形成されたテープバンド５ａをもって一体化することにより構成されている。
【００２８】
したがって、本実施例の擬似餌１ａの沈降部４としての砂袋４ａは、浮上可能とされた本体部２を海に没することができる。そして、時限手段５としてのテープバンド５ａは、擬似餌１ａを海に没した際に、所定時間経過した後に溶解して本体部２と沈降部４とを分離させて、少なくとも本体部２を浮上可能状態とすることができる。さらに、本実施例の擬似餌１ａの構造は、極めて簡単な構造とすることができので、簡単に大量生産することができ、擬似餌１ａを安価な価格で消費者に提供することができるとともに、消費者の需要に対する適切な供給能力を確実に保持することができる。
【００２９】
図２は本発明に係る擬似餌の第２の実施の形態を示すものである。
【００３０】
図２に示すように、本実施の形態の擬似餌１ｂは、本体部２とこの本体部２と略同一形状に形成した沈降部４としての砂袋４ｂとを時限手段５としての接着剤層５ｂを介して接合し、全体として略円柱状に形成したものである。そして、時限手段５としての接着剤層５ｂは、例えば澱粉糊によって形成された水溶性の接着剤により形成されており、接着剤層５ｂの厚さあるいは澱粉糊の澱粉の含有量等によって溶解するまでの時間を調節することができるようになっている。その他の構成は前述した第１の実施の形態の擬似餌１ａと同様とされている。
【００３１】
このような構成の本実施の形態の擬似餌１ｂによれば、前述した第１の実施の形態の擬似餌１ａと同様の効果を奏することができるとともに、部品点数を低減することができる。
【００３２】
図３は本発明に係る擬似餌の第３の実施の形態を示すものである。
【００３３】
図３に示すように、本実施の形態の擬似餌１ｃは、本体部２の外周面に沈降部４としての多数の粒状の重り４ｃを時限手段５としての図示しない接着剤により接着したものである。
【００３４】
そして、時限手段５としての接着剤は、前述した第２の実施の形態の時限手段５と同様に、例えば澱粉糊によって形成されている。その他の構成は前述した第１の実施の形態の擬似餌１ａと同様とされている。
【００３５】
このような構成の本実施の形態の擬似餌１ｃによれば、前述した第１の実施の形態の擬似餌１ｂと同様の効果を奏することができるとともに、部品点数の低減および製造工程をより簡単にすることができる。
【００３６】
図４は本発明に係る擬似餌の第４の実施の形態を示すものである。
【００３７】
図４に示すように、本実施の形態の擬似餌１ｄは、本体部２の外周を沈降部４としての２体の幅の狭い砂袋４ｄで簀巻きにするとともに、２体の砂袋４ｄの合わせ目に時限手段５としての水溶性フィルム５ｄを配設し、この水溶性フィルム５ｄの両端を粘着テープ７により各砂袋４ｄに固着したものである。その他の構成は前述した第１の実施の形態の擬似餌１ａと同様とされている。
【００３８】
なお、砂袋４ｄの数としては、２体に限定されるものではなく、１体あるいは３体以上の複数としてもよい。さらに、砂袋４ｄの合わせ目の間隔を大きくする構成であってもよい。
【００３９】
このような構成の本実施の形態の擬似餌１ｄによれば、前述した第１の実施の形態の擬似餌１ａと同様の効果を奏することができる。
【００４０】
図５は本発明に係る擬似餌の第５の実施の形態を示すものである。
【００４１】
図５に示すように、本実施の形態の擬似餌１ｅは、本体部２を伸縮自在な素材により形成するとともに、本体部２の内部に、海中に沈降した本体部２から沈降部４が分離した場合にガス体となって本体部２を略風船の如く膨らます膨張部材（図示せず）を配設したものである。その他の構成は前述した第４の実施の形態の擬似餌１ｄと同様とされている。
【００４２】
このような構成の本実施の形態の擬似餌１ｅによれば、前述した第４の実施の形態の擬似餌１ｄと同様の効果を奏することができるとともに、擬似餌１ｅを海中に沈降させた際に、海面に向かう本体部２の浮上速度をより増加させることができる。
【００４３】
図６は本発明に係る擬似餌の第６の実施の形態を示すものである。
【００４４】
図６に示すように、本実施の形態の擬似餌１ｆは、本体部２が中空の円筒形状の筒状体２ａにより形成されている。そして、筒状体２ａの図６に左方に示す左端には、単なる盲蓋８が固着されており、筒状体２ａの図６に右方に示す右端には、水溶性フィルム５ｄ以外の更なる時限手段５としての水溶性フィルムにより形成された可溶性蓋９が取着されている。また、筒状体２ａの内部には、水と反応する発泡剤１０が配設されており、筒状体２ａの発泡剤１０の配設位置と可溶性蓋９の配設位置との間には、小径の絞り部１１が形成されている。その他の構成は前述した第４の実施の形態の擬似餌１ｄと同様とされている。
【００４５】
このような構成の本実施の形態の擬似餌１ｆによれば、前述した第４の実施の形態の擬似餌１ｄと同様の効果を奏することができるとともに、擬似餌１ｆを海中に沈降させた際に、可溶性蓋９が溶解すると発泡剤１０が海水と反応してエアーを発生し、このエアーの一部は図６に左方に示す左端に溜まって海面に向かう本体部２の浮上速度をより増加させ、他のエアーは絞り部１１を介して図６に右方に示す右端から泡となって海中へ放出されて本体部２を自力推進させることができる。
【００４６】
なお、可溶性蓋９の厚さを時限手段５としての水溶性フィルム５ｄの厚さより若干厚くすることなどにより、擬似餌１ｆを海中に沈降させた際に、本体部２からの砂袋４ｄの分離を先にし、その後、発泡剤１０の海水との反応を開始させる構成としたものが好ましく、可溶性蓋９の厚さを時限手段５としての水溶性フィルム５ｄの厚さと略等しくし本体部２からの沈降部４としての砂袋４ｄの分離と発泡剤１０の海水との反応の開始とを同時に行うことができる構成が最も好ましい。
【００４７】
図７は本発明に係る擬似餌の第７の実施の形態を示すものである。
【００４８】
図７に示すように、本実施の形態の擬似餌１ｇは、本体部２を伸縮自在でかつ水より比重の重い素材により形成するとともに、本体部２の内部に、海中に沈降した本体部２が水圧により収縮した際につぶれてガス体となって本体部２を略風船の如く膨らます膨張部材（図示せず）を配設したものである。
【００４９】
すなわち、本実施の形態の擬似餌１ｇは、本体部２が沈降部４および時限手段５を兼ねており、海中に沈降する本体部２が水圧に感応して収縮し、所定の水深に達すると本体部２の内部に配設された膨張部材つぶれてガスを発生し、本体部２を浮上可能とするように構成したものである。
【００５０】
このような構成の本実施の形態の擬似餌１ｇによれば、個別に形成した別体の沈降部４を用いずに、前述した第５の実施の形態の擬似餌１ｅとほぼ同様の効果を奏することができる。
【００５１】
図８は本発明に係る擬似餌の第８の実施の形態を示すものである。
【００５２】
図８に示すように、本実施の形態の擬似餌１ｈは、本体部２が伸縮自在でかつ水より比重の重い素材により形成されている。その他の構成は、前述した第６の実施の形態の擬似餌１ｆと同様とされている。つまり、本実施の形態の擬似餌１ｈは、本体部２が沈降部４を兼ねている。
【００５３】
このような構成の本実施の形態の擬似餌１ｈによれば、個別に形成した別体の沈降部４を用いずに、擬似餌１ｈを海中に沈降させた際に、時限手段５としての可溶性蓋９が溶解すると発泡剤１０が海水と反応してエアーを発生し、このエアーの一部は図８に左方に示す左端に溜まって本体部２を海面に向かって勢いよく浮上させ、他のエアーは絞り部１１を介して図８に右方に示す右端から泡となって海中へ放出されて本体部２を自力推進させることができる。
【００５４】
すなわち、個別に形成した別体の沈降部４を用いずに、前述した第６の実施の形態の擬似餌１ｆとほぼ同様の効果を奏することができる。
【００５５】
なお、別体の沈降部４を本体部２に内封（内臓）させて、第７または第８の実施の形態と同様にして、両者２，４を一緒に沈降、浮上させるようにしてもよい。
【００５６】
図９は本発明に係る擬似餌の第９の実施の形態を示すものである。
【００５７】
図９に示すように、本実施の形態の擬似餌１ｉは、例えば、１２本程度の複数の本体部２を１束とし、この１束とした本体部２の外周を沈降部４としての２体の砂袋４ｉで簀巻きにするとともに、２体の砂袋４ｇの合わせ目に時限手段５としての水溶性フィルム５ｉを配設し、この水溶性フィルム５ｉの両端を粘着テープ７により各砂袋４ｉに固着したものである。その他の構成は前述した第４の実施の形態の擬似餌１ｄと同様とされている。
【００５８】
このような構成の本実施の形態の擬似餌によれば、前述した第４の実施の形態の擬似餌１ｄと同様の効果を奏することができるとともに、複数の本体部２が同時に浮上する様子が、鰹などの捕獲対象魚に対して鰯などの小魚の群と思わせる刺激的効果を付与することができる。
【００５９】
図１０は本発明に係る擬似餌の第１０の実施の形態を示すものである。
【００６０】
図１０に示すように、本実施の形態の擬似餌１ｊは、時限手段５としての水溶性フィルムにより製せられた密閉袋５ｊの内部に、例えば１２本程度の複数の本体部２および沈降部４としての粒状の重り（砂）４ｊとを一緒に詰めたものである。
【００６１】
このような構成の本実施の形態の擬似餌１ｊによれば、前述した第９の実施の形態の擬似餌１ｉと同様の効果を奏することができる。
【００６２】
つぎに、本発明に係る擬似餌を用いた漁法の実施の形態の一例について説明する。
【００６３】
本実施の形態の擬似餌を用いた漁法は、漁場において、漁船から人手によって擬似餌１（符号１は前記各実施の形態の擬似餌１ａ，１ｂ，１ｃ，１ｄ，１ｅ，１ｆ，１ｇ，１ｈ，１ｉ，１ｊを総称する）を所定の海面に投入（投餌）することにより行われる。
【００６４】
つぎに、前述した構成からなる本実施の形態の作用について説明する。
【００６５】
本実施の形態の擬似餌を用いた漁法によれば、擬似餌１を鰯などの生餌と同様に作業者の判断で海面の任意の狙った地点へ人手をもって投入することができる。つまり、従来の生餌と同様に、漁船から離れた位置への投入が可能である。そして、海面の所定位置に投入された擬似餌１は、沈降部４を有しているので海底に向かって沈降する。そして、海底に向かって沈降する擬似餌１が海底に達する前に、前記各実施の形態における時限手段５は、所定時間経過すると海中の所定位置で溶解することにより少なくとも本体部２を海面に向かって浮上させる。さらに、海面に向かって浮上する本体部２は、所望の遊泳動作を行いつつ海面に向かって浮上する。
【００６６】
すなわち、前述した本実施の形態の擬似餌１を本実施例の擬似餌を用いた漁法にしたがって用いることにより、所望の水深から動力を用いること無く擬似餌１に遊泳動作を行わせて海面に向かって浮上させることができる。
【００６７】
また、時限手段５が少なくとも本体部２を海面に向かって浮上を開始させる位置は、擬似餌１全体の沈降速度と時限手段５による経過時間とのバランスを調整することにより制御することができる。この時限手段５による経過時間の制御を具体的に説明すると、時限手段５として水溶性フィルムまたは水溶性の接着剤を用いた場合には、時限手段５としての水溶性フィルムまたは水溶性の接着剤による接着剤層の厚さなどにより制御することができ、図７に示す本体部２が沈降部４および時限手段５を兼ねた擬似餌１ｇの場合には、本体部２の厚さ、比重などにより制御することができる。
【００６８】
さらに、海中の所定位置に放出された擬似餌１は、海面に近づくほど水圧の影響が少なくなり、その浮上遊泳動作は加速され、鰹等の魚の集魚能力を確実に向上させることができる。
【００６９】
さらにまた、複数の本体部２を束にした図９および図１０に示す擬似餌１ｉ，１ｊを用いることにより、複数の本体部２を同時に海面に向かって浮上させることができるので、鰹などの捕獲対象魚に対して鰯などの小魚の群と思わせる刺激効果を大きくすることができる。
【００７０】
したがって、本実施の形態の擬似餌を用いた漁法を、例えば、鰹漁に用いると、前記擬似餌１の遊泳動作を、鰹の視覚を刺激しつつ逃避行動を行う鰯等の小魚の遊泳動作に近似させることができ、鰹に摂餌刺激を与え、鰹の魚群を海面におびき寄せ、摂餌に対するパニック状態を確実に作り出すことができる。なお、鰹は一旦摂餌パニックに陥ると、警戒心がなくなるので、この後は、従来漁法にしたがって、シャワーリング、一本釣上げが可能となる。
【００７１】
なお、本実施の形態の擬似餌を用いた漁法に用いる擬似餌１は、前述した各種の擬似餌１を単種で用いたり、種々のものを所望の割合でブレンドして用いたり、生餌と混合して用いたりすることができる。
【００７２】
また、本発明は、前記各実施の形態に限定されるものではなく、必要に応じて変更することができる。
【００７３】
【発明の効果】
以上説明したように本発明の擬似餌およびそれを用いた漁法によれば、擬似餌を海に投入するという簡単な動作をもって擬似餌を海中の所定位置から海面に向かって浮上させることができ、しかも擬似餌の構造を簡単にすることができるので、擬似餌の生産性を確実に向上させるとともに、擬似餌の遊泳動作を活餌の遊泳動作に極めて近似させ、魚の集魚能力を確実に向上させることができるという極めて優れた効果を奏する。
【図面の簡単な説明】
【図１】  本発明に係る擬似餌の第１の実施の形態を示す斜視図
【図２】  本発明に係る擬似餌の第２の実施の形態を示す図１と同様の図
【図３】  本発明に係る擬似餌の第３の実施の形態を示す図１と同様の図
【図４】  本発明に係る擬似餌の第４の実施の形態を示す図１と同様の図
【図５】  本発明に係る擬似餌の第５の実施の形態を示す図１と同様の図
【図６】  本発明に係る擬似餌の第６の実施の形態を示す図１と同様の図
【図７】  本発明に係る擬似餌の第７の実施の形態を示す図１と同様の図
【図８】  本発明に係る擬似餌の第８の実施の形態を示す図１と同様の図
【図９】  本発明に係る擬似餌の第９の実施の形態を示す図１と同様の図
【図１０】  本発明に係る擬似餌の第１０の実施の形態を示す図１と同様の図
【符号の説明】
１  擬似餌
２  本体部
４  沈降部
５  時限手段
【図１】
0003655695.tif 000002
【図２】
0003655695.tif 000003
【図３】
0003655695.tif 000004
【図４】
0003655695.tif 000005
【図５】
0003655695.tif 000006
【図６】
0003655695.tif 000007
【図７】
0003655695.tif 000008
【図８】
0003655695.tif 000009
【図９】
0003655695.tif 000010
【図１０】
0003655695.tif 000011